(57)【特許請求の範囲】
【請求項１】
操作を受け付ける操作受付部と、
メールを受信する受信部と、
メールに関する情報および音声通話に関する情報をそれぞれ表示可能な表示部と、
他の携帯端末のメールアドレスと、該メールアドレスに返信用の定型文と、を記憶する記憶部と、
前記操作受付部より所定の操作が行われた後、前記記憶部にて記憶しているメールアドレスの送信元からメールを受信したとき、該メールアドレスに対して前記記憶部に記憶された前記定型文のメールを返信する簡易返信部と、
を備え、
前記メールアドレスに対する返信メールの作成画面を前記表示部に表示してから所定の時間、前記操作受け付け部が操作を受け付けない場合、前記メールアドレスに対する前記定型文の前記メールを返信する、携帯端末装置。
【請求項２】
前記簡易返信部が簡易返信を実行したことを報知する報知部と、
をさらに備えることを特徴とする請求項１に記載の携帯端末装置。
【発明の詳細な説明】
【技術分野】
【０００１】
本発明は、携帯端末装置におけるメールの返信に関する発明である。
【背景技術】
【０００２】
一般に携帯電話機やＰＤＡ等の携帯端末装置にはメール機能が搭載されている。メール機能によりメールを返信するためには、受信したメールを読む時間、及び文章を作成するための時間を要する。そのため、携帯電話機を長時間操作できない状態になった場合、即座に返信できずにコミュニケーションに支障をきたす虞がある。そこで特許文献１には、ユーザーが短時間でメールへの返信作業を行うことができる技術として、受信メールに含まれる特定の文字列を指定した場合、返信文章の候補を表示して即座に返信メールを作成することが開示されている。
【０００３】
また、特許文献２には、ドライブモード設定中に受信したメールに対して自動でメールの返信を実行する技術が記載されている。
【先行技術文献】
【特許文献】
【０００４】
【特許文献１】特開２００１−５６７９２公報
【特許文献２】特開２００７−８１４９８公報
【発明の概要】
【発明が解決しようとする課題】
【０００５】
しかしながら、特許文献１の発明では、返信候補としてユーザーが所望する返信候補がない場合は返信メールの作成に長時間を要する虞がある。また、特許文献２に記載の発明では、ドライブモード設定中は返信する必要が無いメールに対しても自動で返信することからユーザーの意図しない通信コストがかかる虞や必要のない返信によってコミュニケーションに支障をきたす虞がある。本発明は、上記した課題に鑑みてなされたものであり、ユーザーが受信メールに対応している場合に、受信メールに対応できる状態でなくなっても容易な操作で簡易的な返信を行うことができる携帯端末装置を提供することを目的とする。
【課題を解決するための手段】
【０００６】
上記した課題を解決する本発明の携帯端末装置は、操作を受け付ける操作受付部と、
メールを受信する受信部と、前記受信部で受信したメールの一覧や本文などのメールに関する情報や特定の相手との電話の発信や着信などの音声通話に関する情報とを表示する表示部と、前記操作受付部より所定の操作が行われた場合、前記受信部が受信したメールの送信元に返信用の定型文を記憶する記憶部と、前記表示部が前記メールに関する情報を表示している場合に、前記操作受付部より所定の操作が行われたとき、前記表示部にて表示しているメールの送信元に対して前記記憶部に記憶されたメールを返信する簡易返信部と、を備える。
【０００７】
好ましくは、携帯端末装置は時間を計測するタイマ部を備え、前記操作受付部が受け付ける所定の操作とは、前記タイマ部が所定の時間前記操作受け付け部が操作を受け付けない操作である。
【０００８】
好ましくは、前記記憶部はさらに前記簡易返信を実行する相手先のメールアドレスを記
憶し、前記記憶部が記憶した簡易返信を実行する相手先のメールアドレスと、前記受信部が受信したメールの送信元のメールアドレスとが一致した場合、前記受信部が受信したメールの送信元に対して前記記憶部に記憶されたメールを返信する。
【０００９】
好ましくは、前記簡易返信部はさらに、前記受信部で受信したメールの一覧が前記表示部に表示されている場合に、前記操作受付部により選択された受信メールの送信元に対して簡易返信を実行する。
【００１０】
好ましくは、携帯端末装置は、前記簡易返信部が簡易返信を実行したことを報知する報知部と、をさらに備える。
【発明の効果】
【００１１】
本発明によれば、ユーザーが容易な操作によりメールに対して返信することができる携帯端末装置を提供することができる。
【図面の簡単な説明】
【００１２】
【図１】本発明の実施の形態の一例を示す携帯端末装置１００の外観斜視図。
【図２】本発明の実施の形態の一例を示す携帯端末装置１００のブロック構成図。
【図３】図２に示す携帯端末装置１００に備えられたＲＡＭ１９０の内部構成図。
【図４】図２に示す携帯端末装置１００に備えられた制御部１７０の内部構成図。
【図５】本発明の実施の一例を示す返信メール設定プログラムのフローチャート。
【図６】本発明の実施の一例を示す簡易返信プログラムのフローチャート。
【図７】本発明の実施の一例を示す簡易返信の通知の画面の一例。
【図８】本発明の実施の一例を示す返信メール設定の画面の一例。
【発明を実施するための形態】
【００１３】
本発明の実施の形態に係る携帯端末装置１００は、ユーザーが受信したメールを閲覧、または返信作業中に、メールの返信ができなくなった場合、容易な操作によってユーザーが所望する文章を返信する発明である。
本発明を実施するための形態を図１〜図８を用いて説明する。
【００１４】
〔構成〕
まず、図１〜図４を用いて携帯端末装置の構成について説明する。
【００１５】
図１は、携帯端末装置の外観斜視図である。
【００１６】
図１に示す携帯端末装置１００の外観には、第１筐体１０１、第２筐体１０２、タッチパネル１０５、操作部１２０、発光部１３０、スピーカ１４０、マイク１５０が備えられている。
【００１７】
図２は、携帯端末装置１００のブロック構成図である。図２に示す携帯端末装置１００は、タッチパネル１０５、操作部１２０、発光部１３０、スピーカ１４０、Ｄ/Ａコンバ
ータ１４５、マイク１５０、Ａ／Ｄコンバータ１５５、振動部１６０、制御部１７０、ＲＯＭ１８０（ＲＥＡＤ  ＯＮＬＹ  ＭＥＭＯＲＹ）、ＲＡＭ１９０（ＲＡＮＤＯＭ  ＡＣＣＥＳＳ  ＭＥＭＯＲＹ）、Ｉ/Ｆ（入出力インターフェース）２００、外部メモリ２１
０、無線回路２４０、アンテナ２５０、撮影部２２０によって構成されている。
【００１８】
タッチパネル１０５は、表示制御部１０６、表示部１１０、タッチパネル入力部１１５を含む。
【００１９】
表示制御部１０６は、制御部１７０からの制御信号に基づいて、ＲＯＭ１８０、ＲＡＭ１９０、外部メモリ２１０に記憶された情報を表示部１１０に表示する制御を行う。表示制御部１０６は例えば、表示する画像の向きや色や大きさを変更する制御を行う。また、表示制御部１０６は、表示部１１０に情報を表示する際の画面の輝度やバックライトの照明時間をユーザーの所望の設定に制御する。
【００２０】
表示部１１０は、表示制御部１０６を介して、携帯端末装置１００に備えられた機能を実現するために各種情報を表示する。各種情報とは、例えば、機能メニュー、アドレス帳、電話の着信履歴や発信履歴、メールの送信履歴や受信履歴、メールの内容、メールが保存されているフォルダの一覧、受信したメールの一覧、送信したメールの一覧、送信済みメールの一覧、保存された文字データや画像データなどを含む。表示部１１０は、例えば液晶ディスプレイ、有機ＥＬ（ＥＬＥＣＴＲＯＬＵＭＩＮＥＳＣＥＮＣＥ）ディスプレイ、プラズマディスプレイ、電子ペーパーなどにより構成される。
【００２１】
タッチパネル入力部１１５は、ユーザーが指やペンなどにより触れた位置を検出して、位置に応じた座標を制御部１７０に入力するポインティングデバイスである。タッチパネル入力部１１５は、表示部１１０の上面に配置される。ユーザーが指やペンなどにより触れるとは、例えば、タッチパネル入力部１１５の表面を指やペンなどによって押したり、撫でたり、描いたりすることである。つまり、タッチパネル入力部１１５は、ユーザーが押した位置や撫でた方向や描いた図形などの座標を制御部１７０に入力する。タッチパネル入力部１１５によって座標を検知する方法には、例えば、静電気による電気信号を検知する静電容量結合式や抵抗膜方式、光学式などがある。
【００２２】
操作部１２０は、ユーザーからの操作の入力を受け付ける。操作部１２０が受け付けた入力は、入力信号として制御部１７０に入力される。なお、本実施の形態において、操作部１２０は図１に示す携帯端末装置１００の側面に設けられている。
【００２３】
発光部１３０は、制御部１７０からの制御信号によって外部へ光を照射する機能を備える。発光部１３０は、例えば、ＬＥＤに代表される発光素子などにより構成される。発光部１３０は、電話着信、電話発信、メール受信、メール送信、音楽データ再生、アラーム日時到来などを、外部へ光を照射することによりユーザーへ報知する。
【００２４】
スピーカ１４０は、制御部１７０からの制御信号によって外部に音を出力する機能を有する。スピーカ１４０は、電話着信、電話発信、メール受信、メール送信、音楽データ再生、アラーム日時到来などを、外部へ音を出力することによりユーザーへ報知する。
スピーカ１４０は、Ｄ/Ａコンバータ１４５を介して制御部１７０と接続されている。
【００２５】
Ｄ/Ａコンバータ１４５は、制御部１７０から入力されたデジタル信号をアナログ信号
に変換する。Ｄ/Ａコンバータ１４５は、変換したアナログ信号を、スピーカ１４０へ出
力する。
【００２６】
マイク１５０は、音声などの外部からの音を入力する機能を有する。マイク１５０は、入力された音をアナログ信号としてＡ／Ｄコンバータ１５５に出力する。マイク１５０は、Ａ／Ｄコンバータ１５５を介して制御部１７０と接続されている。Ａ／Ｄコンバータ１５５は、マイク１５０より入力されたアナログの音声信号を、デジタル信号へ変換して、制御部１７０に出力する。
【００２７】
振動部１６０は、制御部１７０からの制御信号によって機械的振動を生じる。振動部１６０は、例えば、モーターなどから構成され、電話着信、電話発信、メール受信、メール送信、音楽データ再生、アラーム日時到来などを、機械的振動によってユーザーへ報知す
る。
【００２８】
制御部１７０は、携帯端末装置１００に備えられたハードウェアを制御する。例えば、制御部１７０は、操作部１２０、または、タッチパネル入力部１１５がユーザーより受け付けた入力に基づいて、携帯端末装置１００に備えられた各種機能を実行する。また、制御部１７０は、ＲＯＭ１８０やＲＡＭ１９０や外部メモリ２１０と協働して携帯端末装置１００に記憶されたプログラムを実行する。
【００２９】
ＲＯＭ１８０は、携帯端末装置１００に備えられた機能を実行するためのプログラムやデータなどを記憶する。
【００３０】
ＲＡＭ１９０は、制御部１７０からアクセス可能であり、制御部１７０が各種処理を実行するための一時記憶領域として利用される。
【００３１】
ここで、ＲＡＭ１９０と制御部１７０のそれぞれの内部構成について図３と図４を用いて説明する。
【００３２】
図３は、ＲＡＭ１９０に記憶されている情報の配置（メモリマップと呼ぶ）を示す。メモリマップには、プログラム記憶領域３１０とデータ記憶領域３４０が含まれる。
【００３３】
プログラム記憶領域３１０に記憶されている本発明の特徴的なプログラムについて説明する。プログラム記憶領域３１０には、携帯端末装置１００に備えられた各種機能を実行するために必要なプログラムの他に、返信メール設定プログラム３２０、簡易返信プログラム３３０などが含まれる。
【００３４】
返信メール設定プログラム３２０は、ユーザーが受信メールに対して返信メールの作成を行っている場合に返信処理を継続できなくなったとき容易な操作で簡易的な返信を実行するための設定を行うプログラムである。返信メール設定プログラム３２０では、例えば簡易返信を行うときに送信するメールの本文の設定、簡易返信を実行する対象の設定、簡易返信を実行するための操作の設定、簡易返信を行った後に簡易返信を実行した旨を報知するか否かの設定などを行う。返信メール設定プログラム３２０の処理の流れは図５を用いて後述する。
【００３５】
簡易返信プログラム３３０は、返信メール設定プログラム３２０で設定した情報に基づいてメールの簡易返信を実行するためのプログラムである。簡易返信プログラム３３０の処理の流れは図６を用いて後述する。
【００３６】
データ記憶領域３４０に記憶されているデータについて説明する。データ記憶領域３４０には、携帯端末装置１００に備えられた各種機能を実行するために必要な各種データの他に、アドレス帳３５０、返信メール設定データ３６０、報知データ３７０などが含まれる。
【００３７】
アドレス帳３５０には、他の携帯端末装置に電話発信やメール送信を行うための電話番号やメールアドレスを含むアドレスデータが記憶されている。アドレスデータには、電話番号やメールアドレスと関連付けて、例えば、氏名、メモリ番号、住所、誕生日、グループ（例えば学校や仕事先などの所属に関する情報）などが記憶される。アドレス帳３５０にはユーザーがタッチパネル入力部１１５または操作部１２０を操作することによって情報が記憶される。
【００３８】
返信メール設定データ３６０には、メールデータ３６１、返信対象設定データ３６２、
返信方法設定データ３６３、返信報知設定データ３６４などが含まれる。返信メール設定データ３６０に含まれる各データは、携帯端末装置１００が返信メール設定プログラム３２０を実行してユーザーがタッチパネル入力部１１５または操作部１２０を操作することによってデータが記憶される。
【００３９】
メールデータ３６１には、ユーザーが作成した簡易返信を実行したときに送信するメールの本文、件名などを記憶する。
【００４０】
返信対象設定データ３６２は、ユーザーが選択した簡易返信を実行する対象者に関する情報を記憶する。簡易返信を実行する対象者は、アドレス帳３５０に記憶されたアドレスデータより選択する。
【００４１】
返信方法設定データ３６３は、ユーザーが選択した簡易返信を実行するための方法を記憶する。簡易返信を実行するための方法としては、例えば、返信メールを作成する画面を表示部１１０に表示している場合に操作部１２０より所定の操作を行ったとき、タッチパネルより所定の操作を行ったとき、所定時間操作をしなかったときなどがあり、ユーザーは所望の簡易返信方法を選択する。簡易返信を行う方法としては他にも、ユーザーが表示部１１０に表示された受信メールの一覧より所望のメールを選択している場合に、操作部１２０より所定の操作をしたときや、タッチパネル１０５より所定の操作を行ったときや、所定時間操作をしなかったときなどがある。
【００４２】
返信報知設定データ３６４には、簡易返信を実行した後、簡易返信を実行したことを報知するか否かの設定が記憶されている。
【００４３】
報知データ３７０は、簡易返信を実行したことを報知するためのデータを記憶する。報知データ３７０に記憶しているデータには例えば、スピーカ１４０からの音による報知であれば、音量、出力する音の種類、音を出力する時間、発光部１３０が出力する光による報知であれば光の発光パターン、光の色、明るさ、発光する時間など、振動部１６０が出力する機械的振動による報知であれば振動パターン、振動時間などである。上記以外にも報知データには、図７に示すように簡易返信を実行したことを報知するために表示部１１０に表示する画面情報が記憶されている。
【００４４】
次に図４を用いて制御部１７０の内部構成について説明する。制御部１７０には、返信メール設定部４１０、簡易返信部４２０、メール受信部４３０、判断部４４０、報知部４５０、タイマ部４６０などが備えられている。
【００４５】
判断部４４０は、操作部１２０、または、タッチパネル入力部１１５を介してユーザーから受け付けた入力が携帯端末装置１００に備えられたどの機能を実行するための入力であるかを判断する。また、携帯端末装置１００が実行しているプログラムにおいて、判断部４４０は、プログラムを処理するための各種判断を実行する。判断部４４０は、例えばタッチパネル入力部１１５がユーザーから受け付けた入力が、返信メール設定プログラム３２０を実行するための操作であるか否か、受信フォルダを開く操作であるか否か、メールを選択するための操作であるか否か、簡易返信を実行するための操作であるか否かなどを判断する。
【００４６】
報知部４５０は、返信報知設定データ３６４や報知データ３７０に記憶されたデータに基づいて簡易返信を実行したことを報知する。
【００４７】
タイマ部４６０は、携帯端末装置１００にて実行されるプログラムにおいて時間を計測する。計測する時間としては例えば、ユーザーが簡易返信を実行するまでに予め定めた時
間などがある。
【００４８】
なお、制御部１７０には、上記した以外にも携帯端末装置１００に備えられた各種機能、プログラムを実行するために必要な構成が備えられているものとする。
【００４９】
図２の説明に戻る。
【００５０】
Ｉ/Ｆ２００には、着脱可能な外部メモリ２１０が装着される。制御部１７０は、Ｉ/Ｆ２００を介して外部メモリ２１０へのアクセスが可能であり、例えば、外部メモリ２１０に記憶されたプログラムやデータなどを読み出して実行する。外部メモリ２１０は、プログラムやデータなどを記憶する媒体であればよく、例えば、メモリーカード、ＨＤＤ（ＨＡＲＤ  ＤＩＳＣ  ＤＲＩＶＥ）、ＳＩＭカードなどがある。また上記プログラムやデータには、外部メモリ２１０から直接読み出し実行可能なプログラムに限られず、暗号化されたプログラム、ネットワークよりダウンロードされたプログラム、圧縮処理されたプログラム、画像データ、音声データ、文章データなどが含まれる。
【００５１】
無線回路２４０は、アンテナ２５０から入力された所定の高周波信号に復調処理及び復号処理を施してデジタルの音声信号へと変換する。また、制御部１７０から入力されたデジタルの音声信号には符号化処理及び変調処理を施して、高周波信号に変換する。そして、無線回路２４０は高周波信号をアンテナ２５０へ出力する。
【００５２】
アンテナ２５０は、所定の周波数の電磁波を受信して高周波信号として無線回路２４０に出力する。また無線回路２４０より出力された高周波信号を所定の周波数の電磁波として出力する。
【００５３】
撮影部２２０は、カメラ機能やビデオ機能を備える。撮影部２２０が取得した画像や動画は、ＲＡＭ１９０や外部メモリ２１０などに保存される。撮影部２２０は、例えば、ＣＣＤ（ＣＨＡＲＧＥ  ＣＯＵＰＬＥＤ  ＤＥＶＩＣＥ）カメラや、ＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）カメラなど
により構成される。なお撮影部２２０は、図１に示した携帯端末装置１００の筐体裏面に備えられているため図１には図示していない。
【００５４】
〔動作処理〕
返信メール設定部４１０が実行する返信メール設定プログラム３２０について図５を用いて説明する。返信メール設定プログラム３２０では、簡易返信を実行するために必要なデータを設定する処理を実行する。
【００５５】
返信メール設定プログラム３２０では、まず判断部４４０が、ユーザーからのタッチパネル入力部１１５または操作部１２０への入力が返信メールの設定を実行するための入力であるか否かを判断する（Ｓ１１０）。簡易返信の設定を行うための入力でなかった場合、返信メール設定部４１０は、タッチパネル入力部１１５または操作部１２０から簡易返信の設定を開始するための入力があるまで待機する。
【００５６】
一方、判断部４４０がタッチパネル入力部１１５または操作部１２０からの入力が簡易返信の設定を開始するための入力であると判断した場合、返信メール設定部４１０は簡易返信の設定項目を表示部１１０に表示する。表示部１１０に表示する画像の一例を図８（ａ）に示す。ユーザーは図８（ａ）に示すような画面より所望の簡易返信の設定項目をタッチパネル入力部１１５または操作部１２０によって選択し、簡易返信に関する設定を行う。以下にその処理の一例を示す。
【００５７】
Ｓ１３０の処理として、判断部４４０はタッチパネル入力部１１５または操作部１２０からの入力が返信メールを作成するための入力であるか否かを判断する。判断部４４０が返信メールを作成する操作であると判断した場合、返信メール設定部４１０は表示部１１０に図８（ｂ）に示すようなメール作成画面を表示する（Ｓ１３２）。
【００５８】
次に表示部１１０に表示されたメール作成画面に従い、ユーザーはタッチパネル入力部１１５または操作部１２０からメールの本文、メールの件名等のデータを入力する（Ｓ１３４）。
【００５９】
次にＳ１３４で作成したデータをメールデータ３６１に記憶する（Ｓ１３６）。
【００６０】
一方、Ｓ１３０の処理にて判断部４４０がタッチパネル入力部１１５または操作部１２０からの入力がメール作成操作でないと判断した場合、判断部４４０はタッチパネル入力部１１５または操作部１２０からの入力が返信対象設定操作であるか否かを判断する（Ｓ１４０）。判断部４４０がタッチパネル入力部１１５または操作部１２０からの入力が返信対象を設定するための入力であると判断した場合、ユーザーはタッチパネル入力部１１５または操作部１２０を操作することによりアドレス帳３５０より簡易返信を実行する対象を選択する（Ｓ１４２）。
【００６１】
次に、返信メール設定部４１０は、Ｓ１４２の処理においてユーザーが選択したアドレスデータを返信対象データ３６２に記憶する（Ｓ１４４）。
【００６２】
一方、Ｓ１４０の処理において、判断部４４０がタッチパネル入力部１１５または操作部１２０からの入力が返信対象設定操作でないと判断した場合、判断部４４０はタッチパネル入力部１１５または操作部１２０からの入力が簡易返信を実行する方法を設定するための入力であるか否かを判断する（Ｓ１５０）。
【００６３】
判断部４４０が、タッチパネル入力部１１５または操作部１２０からの入力が簡易返信を実行する方法を設定するための入力である場合、返信メール設定部４１０は、簡易返信を実行するための方法の一覧を表示部１１０に表示する（Ｓ１５２）。
【００６４】
ユーザーはタッチパネル入力部１１５または操作部１２０を操作することにより所望の簡易返信を実行するための方法を選択する（Ｓ１５４）。
【００６５】
次にユーザーが選択した簡易返信を実行するための方法を返信方法設定データ３６３に記憶する（Ｓ１５６）。
【００６６】
一方、Ｓ１５０の処理において、判断部４４０が、タッチパネル入力部１１５または操作部１２０からの入力が簡易返信を実行する方法を設定するための入力でないと判断した場合、判断部４４０は、タッチパネル入力部１１５または操作部１２０からの入力が簡易返信の実行を報知する設定を行うための入力であるか否かを判断する（Ｓ１６０）。
【００６７】
判断部４４０がタッチパネル入力部１１５または操作部１２０からの入力が簡易返信の実行を報知する設定を行うための入力であると判断した場合、ユーザーは簡易返信を実行したことを報知するか否かを選択する。そして、返信メール設定部４１０はユーザーが選択した結果を返信報知設定データ３６４に記憶する（Ｓ１６２）。
【００６８】
判断部４４０がタッチパネル入力部１１５または操作部１２０からの入力が簡易返信の実行を報知する設定を行うための入力でないと判断した場合、返信メール設定部４１０はＳ１３０の処理を再度実行する。
【００６９】
次に、簡易返信部４２０が実行する簡易返信プログラム３３０を、図６を用いて説明する。
【００７０】
簡易返信プログラム３３０では、まず判断部４４０がアンテナ２５０と無線回路２４０を介してメール受信部４３０がメールを受信したか否かを判断する（Ｓ２１０）。
【００７１】
判断部４４０がメールを受信していないと判断した場合、判断部４４０はメール受信部４３０がメールを受信するまで待機する。
【００７２】
一方、判断部４４０は、メール受信部４３０がメールを受信したと判断した場合、判断部４４０はタッチパネル入力部１１５または操作部１２０より受信したメールを確認する操作が入力されたか否かを判断する（Ｓ２２０）。ここで、受信したメールを確認する操作とはメール受信フォルダの一覧より所定のメール受信フォルダを選択する操作、メール受信フォルダを開く操作などを含む。
【００７３】
Ｓ２２０の処理において、判断部４４０がタッチパネル入力部１１５または操作部１２０からの入力が受信したメールを確認する操作であると判断した場合、簡易返信部４２０は、表示部１１０に受信メールの一覧を表示する（Ｓ２３０）。
【００７４】
次に判断部４４０は、タッチパネル入力部１１５または操作部１２０からの入力が受信メール一覧よりメールを選択し内容を確認するための操作であるか否かを判断する（Ｓ２４０）。
【００７５】
判断部４４０が、タッチパネル入力部１１５または操作部１２０からの入力が受信メール一覧よりメールを選択し内容を確認するための操作であると判断した場合、簡易返信部４２０は選択したメールの内容を表示部１１０に表示する（Ｓ２５０）。
【００７６】
一方、判断部４４０が、タッチパネル入力部１１５または操作部１２０からの入力が受信メール一覧よりメールを選択し内容を確認するための操作であると判断した場合、簡易返信部４２０はＳ２３０の処理を再度実行する。
【００７７】
次に判断部４４０は、タッチパネル入力部１１５または操作部１２０からの入力が簡易返信を実行するための操作であるか否かを判断する（Ｓ２６０）。
【００７８】
Ｓ２６０において、タッチパネル入力部１１５または操作部１２０からの入力が簡易返信を実行するための操作であると判断部４４０が判断した場合、次に判断部４４０は選択したメールの送信元が返信対象データ３６２に記憶された対象より送られたメールであるか否かを判断する（Ｓ２７０）。
【００７９】
一方、Ｓ２６０の処理においてタッチパネル入力部１１５または操作部１２０からの入力が簡易返信を実行するための操作でないと判断部４４０が判断した場合、簡易返信部４２０は、Ｓ２５０の処理を再度実行する。
【００８０】
Ｓ２７０の処理において、選択したメールの送信元が返信対象データ３６２に記憶された対象より送られたメールであると判断部４４０が判断した場合、簡易返信部４２０は、メールデータ３６１に記憶されたデータを基にメールに対する返信を実行する（Ｓ２８０）。
【００８１】
一方、選択したメールの送信元が返信対象データ３６２に記憶された対象より送られた
メールでないと判断部４４０が判断した場合、簡易返信部４２０はＳ２５０の処理を実行する。
【００８２】
Ｓ２８０の処理を実行後、次に判断部４４０が、返信を実行した対象に対して返信報知設定データ３６４の設定が返信報知を実行する設定となっているか否かを判断する（Ｓ２９０）。
【００８３】
判断部４４０が、返信を実行した対象に対して返信報知設定データ３６４の設定が返信報知を実行する設定となっていると判断した場合、返信を実行した旨を通知データ３７０に記憶したデータに基づいて実行する（Ｓ３００）。報知方法としては、例えば、表示部１１０への表示により報知を実行する設定としていた場合は、図７に示すような画面を表示部１１０に表示することより簡易返信を実行したことをユーザーに報知する。
【００８４】
一方、Ｓ２８０において判断部４４０が、返信を実行した対象に対して返信報知設定データ３６４の設定が返信報知を実行する設定となっていないと判断した場合、返信を実行した旨を報知しない（Ｓ２９２）。
【００８５】
〔その他の実施例〕
以上、本発明の実施の形態について説明したが、本発明は上記実施の形態によって何ら制限されるものではなく、また、本発明の実施の形態も、上記以外に種々の変更が可能である。
【００８６】
例えば、Ｓ１６２の処理において、ユーザーは簡易返信を実行したことを報知する設定とした場合、報知する方法を選択できることとしてもよい。選択できる報知方法としては、スピーカ１４０からの音、発光部１３０からの光、振動部１６０からの振動、表示部１１０に図７に示すような簡易返信を行った旨を表示するなどがあり、これらの報知方法よりユーザーが１つ、または複数を選択できることとしてもよい。
【００８７】
なお、Ｓ１６２の処理において、簡易返信を実行したことを報知する対象を返信対象データ３６２に記憶されたアドレスデータよりユーザーが選択できることとしてもよい。報知する対象をユーザーが返信対象ごとに設定できることにより、利便性が高い簡易返信を実行することが可能な携帯端末装置を提供することができる。
【００８８】
なお、簡易返信を実行するタイミングは、ユーザーが簡易返信を実行するための所定の操作を実行後、ユーザーが予め定めたタイミングで実行してもよい。その際、タイマ部４６０が時間を計測する。
【００８９】
なお、本発明が簡易返信を実行する対象とするメールは最新に受信したメールに限らずユーザーが選択している過去に受信したメールに対して実行することとしてもよい。
【００９０】
なお、本発明ではメールを確認する画面を表示している際に所定の操作を実行したときに簡易返信を実行することとしたが、メール受信後、メイン画面にて所定の操作を実行することによって最新に受信したメールに対して簡易返信を実行することとしてもよい。ここでの所定の操作とは、例えば、タッチパネル入力部１１５または操作部１２０に対しユーザーが操作を入力することなどである。
【００９１】
なお、本携帯端末装置１００には、第１筐体と第２筐体を開状態から閉状態、また閉状態から開状態に形態変化したことを検知して、制御部１７０に形態の変化を検知したことを信号として出力する開閉センサを備えることとしてもよい。さらに、開閉センサを備えることにより簡易返信を実行するための所定の操作として、携帯端末装置１００の形態を
ユーザーが変化させたときに簡易返信を実行できることとしてもよい。その際に、形態変化を検知後、タイマ部４６０にてユーザーが予め定めた所定の時間を経過後に簡易返信を実行することとしてもよい。
【００９２】
なお、本発明はスライド式の携帯端末装置に限られず折り畳み型の携帯端末装置やストレート型の携帯端末装置で実施されることとしてもよい。
【符号の説明】
【００９３】
１００  携帯端末装置
１０１  第１筐体
１０２  第２筐体
１０５  タッチパネル
１０６  表示制御部
１１０  表示部
１１５  タッチパネル入力部
１２０  操作部
１３０  発光部
１４０  スピーカ
１４５  Ｄ／Ａコンバータ
１５０  マイク
１５５  Ａ／Ｄコンバータ
１６０  振動部
１７０  制御部
１８０  ＲＯＭ
１９０  ＲＡＭ
２００  Ｉ／Ｆ
２１０  外部メモリ
２２０  撮影部
２３０  近距離通信部
２４０  無線回路
２５０  アンテナ
３１０  プログラム記憶領域
３２０  返信メール設定プログラム
３３０  簡易返信プログラム
３４０  データ記憶領域
３５０  アドレス帳
３６０  返信メール設定データ
３６１  メールデータ
３６２  返信対象データ
３６３  返信方法設定データ
３６４  返信報知設定データ
３７０  通知データ
４１０  返信メール設定部
４２０  簡易返信部
４３０  メール受信部
４４０  判断部
４５０  報知部
４６０  タイマ部
【図１】
0005761937.tif 000002
【図２】
0005761937.tif 000003
【図３】
0005761937.tif 000004
【図４】
0005761937.tif 000005
【図５】
0005761937.tif 000006
【図６】
0005761937.tif 000007
【図７】
0005761937.tif 000008
【図８】
0005761937.tif 000009